【手続補正書】
【提出日】平成30年2月14日(2018.2.14)
【手続補正１】
【補正対象書類名】特許請求の範囲
【補正対象項目名】全文
【補正方法】変更
【補正の内容】
【特許請求の範囲】
【請求項１】
光電変換部と、
信号線と、
前記光電変換部と前記信号線との間に接続された回路ブロックと、
前記回路ブロックを制御する制御回路と、を有する光電変換装置において、
前記回路ブロックは、
前記光電変換部からの信号が入力される非反転入力端子と、反転入力端子と、出力端子と、前記反転入力端子と前記出力端子を接続する帰還経路と、を有する差動増幅回路と、前記出力端子と接続する一端子と、前記信号線と接続する他端子とを有し、前記出力端子と前記信号線との間の導通を制御する第１スイッチと、
前記反転入力端子が接続する一端子と、前記信号線と前記第１スイッチの他端子が接続する他端子とを有し、前記反転入力端子と前記信号線との間の導通を制御する第２スイッチと、
前記反転入力端子が接続する一端子と、前記出力端子と前記第１スイッチの一端子が接続する他端子とを有し、前記反転入力端子と前記出力端子との間の導通を制御する第３スイッチと、を有し、
前記制御回路は、前記第１スイッチと前記第２スイッチを制御するための第１信号と、前記第３スイッチを制御するための第２信号を供給し、
第１の期間、前記制御回路は、前記第１信号を用いて前記第１スイッチと前記第２スイッチを非導通状態とし、前記第２信号を用いて前記第３スイッチを導通状態とし、第１の期間に続く所定のタイミングに、前記制御回路は前記第１信号を用いて前記第１スイッチと前記第２スイッチとを非導通状態から導通状態に変更し、前記第２信号を用いて前記第３スイッチを導通状態から非導通状態に変更し、
前記第１の期間のうち少なくとも一部の期間から前記所定のタイミングに至るまでの期間、前記反転入力端子に前記回路ブロックからの信号が出力されていることを特徴とする光電変換装置。
【請求項２】
前記光電変換装置は、前記信号線に接続された第１電流源を有し、
前記差動増幅回路は、第２電流源と、前記第１電流源または前記第２電流源とソースフォロワ回路を構成するトランジスタを有することを特徴とする請求項１に記載の光電変換装置。
【請求項３】
前記第１スイッチを導通状態にする期間において、前記第１電流源が第１電流値で動作し、
前記第３スイッチを導通状態にする期間において、前記第２電流源が前記第１電流値よりも大きい第２電流値で動作することを特徴とする請求項２に記載の光電変換装置。
【請求項４】
光電変換部と、
信号線と、
前記光電変換部と前記信号線との間に接続された回路ブロックと、
前記回路ブロックを制御する制御回路と、を有する光電変換装置において、
前記回路ブロックは、
前記光電変換部からの信号が入力される非反転入力端子と、反転入力端子と、出力端子と、前記反転入力端子と前記出力端子を接続する帰還経路と、を有する差動増幅回路と、
前記反転入力端子が接続する一端子と、前記信号線とが接続する他端子とを有する第２スイッチと、
前記反転入力端子が接続する一端子と、前記出力端子とが接続する他端子とを有する第３スイッチと、を有し、
前記第２スイッチと前記第３スイッチの一方と、前記制御回路とが制御線を介して接続され、
前記第２スイッチと前記第３スイッチの他方と、前記制御回路とが前記制御線に対して反転回路を介して接続されることを特徴とする光電変換装置。
【請求項５】
前記出力端子と接続する一端子と、前記信号線と接続する他端子とを有する第１スイッチをさらに有し、
前記第１スイッチと、前記第２スイッチが共通のノードに接続され、
前記ノードと前記第３スイッチの一方と、前記制御回路とが前記制御線を介して接続され、
前記ノードと前記第３スイッチの他方と、前記制御回路とが前記制御線に対して前記反転回路を介して接続されることを特徴とする請求項４に記載の光電変換装置。
【請求項６】
前記光電変換装置は、前記信号線に接続された第１電流源を有し、
前記差動増幅回路は、第２電流源と、前記第１電流源または前記第２電流源とソースフォロワ回路を構成するトランジスタを有することを特徴とする請求項５に記載の光電変換装置。
【請求項７】
前記第１スイッチを導通状態にする期間において、前記第１電流源が第１電流値で動作し、
前記第３スイッチを導通状態にする期間において、前記第２電流源が前記第１電流値よりも大きい第２電流値で動作することを特徴とする請求項６に記載の光電変換装置。
【請求項８】
前記反転回路がインバータ回路であることを特徴とする請求項４乃至７のいずれか１項に記載の光電変換装置。
【請求項９】
前記光電変換部と前記回路ブロックを組とし、複数の前記組が前記信号線に接続していることを特徴とする請求項１乃至８のいずれか１項に記載の光電変換装置。
【請求項１０】
前記光電変換装置は、前記回路ブロックで生じたオフセットを低減するためのオフセットキャンセル部を有することを特徴とする請求項１乃至９のいずれか１項に記載の光電変換装置。
【請求項１１】
前記光電変換部からの信号が前記オフセットキャンセル部を介して前記回路ブロックへ入力されることを特徴とする請求項１０に記載の光電変換装置。
【請求項１２】
前記オフセットキャンセル部はクランプ回路を有することを特徴とする請求項１０または１１に記載の光電変換装置。
【請求項１３】
前記光電変換装置は、更に、
第２信号線と、
前記光電変換部と前記第２信号線との間に接続された第２回路ブロックと、を有し、
前記第２回路ブロックは、
前記光電変換部からの前記信号が入力される第２非反転入力端子と、第２反転入力端子と、第２出力端子と、前記第２反転入力端子と前記第２出力端子を接続する第２帰還経路と、を有する第２差動増幅回路と、
前記第２出力端子と接続する一端子と、前記第２信号線と接続する他端子とを有し、前記出力端子と前記第２信号線との間の導通を制御する第４スイッチと、
前記第２反転入力端子と接続する一端子と、前記第２信号線と前記第４スイッチの他端子と接続する他端子とを有し、前記第２反転入力端子と前記第２信号線との間の導通を制御する第５スイッチと、
前記第２反転入力端子と接続する一端子と、前記第２出力端子と前記第４スイッチの一端子と接続する他端子とを有し、前記第２反転入力端子と前記第２出力端子との間の導通を制御する第６スイッチと、を有し、
前記制御回路は、前記第２回路ブロックの動作を制御し、前記回路ブロックから信号を出力するために前記第４スイッチと前記第５スイッチを導通状態にする前に、前記第６スイッチを導通状態にすることを特徴とする請求項１乃至１２のいずれか１項に記載の光電変換装置。
【請求項１４】
前記光電変換部と前記第２回路ブロックを第２の組とし、複数の前記第２の組が前記第２信号線に接続していることを特徴とする請求項１３に記載の光電変換装置。
【請求項１５】
前記光電変換装置は、前記第２回路ブロックで生じたオフセットを低減するための第２オフセットキャンセル部を有することを特徴とする請求項１３または１４に記載の光電変換装置。
【請求項１６】
前記光電変換部からの信号が前記第２オフセットキャンセル部を介して前記第２回路ブロックへ入力されることを特徴とする請求項１５に記載の光電変換装置。
【請求項１７】
前記第２オフセットキャンセル部はクランプ回路を有することを特徴とする請求項１５または１６に記載の光電変換装置。
【請求項１８】
請求項１乃至１７のいずれか１項に記載の光電変換装置と、前記光電変換装置を制御する制御部とを有する焦点検出装置。
【請求項１９】
請求項１８に記載の焦点検出装置と、固体撮像装置と、前記固体撮像装置と前記焦点検出装置に光を導くレンズと、全体制御部と、を有し、
前記全体制御部は、前記焦点検出装置の出力に基づいて前記レンズを駆動することを特徴とする撮像システム。